(57)【要約】【課題】この発明は外出後における玄関扉等の施錠をその場で容易に確認できる約３ｍｍの超薄型、超小型で掛け忘れの不安の解消と防犯に寄与できる施錠確認表示付き鍵付属品を提供する。【解決手段】端部にストッパーと他端部に遊動孔を設けた基台に、透明の弾性体で中央部に表示板用のスリットつきの挿入孔とその左右に反発片用の切り込みを設けて端部にスライダーを付けた基板と、同じく透明の弾性体で端部に基板のスライダーより長いスライダーを設けたホルダーを収納し回転動作により基板の表示板用の挿入孔に挿入した表裏を色分けした反転表示板が自重により反転または上下・反転表示板により上下の重心移動と自重により反転するようにした。【選択図】図１
2012219607.tif 000002
【特許請求の範囲】
【請求項１】
１横孔式タイプは、基台に透明の弾性体のホルダーと同じく透明の弾性体からなる基板を重ね、鍵の開閉のためのキーシリンダーへの抜差しによりホルダーと基板は高さの異なる孤状のタワミと水平を繰り返す手段を備え、回転動作により基板の孤状空間に設けた表裏を色分けした反転表示板が自重により反転するようにしている。
２縦孔式タイプは基板の孤状空間に表裏を色分けした、上下の重心移動と自重により反転する上下・反転表示板を設けたことを特徴とする施錠確認表示付き鍵付属品。
【請求項２】
本発明付きの補助板を特徴とする特許請求範囲の第１項の施錠確認表示付き鍵付属品
【発明の詳細な説明】
【技術分野】
【０００１】この発明は外出後における玄関扉等の施錠忘れをその場で容易に確認でき掛け忘れの不安の解消と防犯に寄与できる施錠確認表示付き鍵付属品に関する。
【背景技術】
【０００２】従来の施錠状態を表示できる鍵付属品は、様々なものが提案されているが電池、センサーの内蔵や、錠前ユニットにも部品を付けたり、複雑な構造であるため付属品自体が大きく、実用に耐えうるものはなかった。
【先行技術文献】
【０００３】
【特許文献１】特許第４５７９２７４号
【特許文献２】特開２００６−１６９４６公報
【特許文献３】特許第４５７９２７４号
【発明の概要】
【発明が解決しようとする課題】
【０００４】それには、次のような問題点があった。
スプリングや小球を内蔵し部品の数が多くなりまたケースが大きくなり手軽に実用化が難しい現状である。
本発明は以上の問題点を解決するために可能な限りシンプルにして約３ｍｍの超薄型で超軽量の施錠確認表示付き鍵付属品を提案する。
【発明が解決しょうとする手段】
【０００５】シリンダータイプは横孔式と縦孔式とがありその対応が異なるので個別に説明する。
【０００６】１横孔式タイプは、基台に透明の弾性体のホルダーと同じく透明の弾性体からなる基板を重ね、鍵の開閉のためのキーシリンダーへの抜差しによりホルダーと基板は高さの異なる孤状のタワミと水平を繰り返す手段を備え、回転動作により基板の孤状空間に設けた表裏を色分けした反転表示板が自重により反転するようにしている。
２縦孔式タイプは基板の孤状空間に表裏を色分けした、上下の重心移動と自重により反転する上下・反転表示板を設けている。
【０００７】基台１は端部にＶ字状のストッパー２と他端部にスライダー用の遊動孔３を設けている。
基板４は透明プラスチックの弾性体で中央部に表示板用のスリット７つきの挿入孔６とその左右に反発片８用のコの字状の切り込みを設けて端部にスライダー５を付けている。
ホルダー１１も同じく透明プラスチックの弾性体で端部に基板のスライダーより長いスライダー１２を設けている。
基台１のスライダー用の遊動孔３にホルダー１１と基板４のスライダーを挿入する。
【０００８】この発明は長さの違う２枚の弾性体を重ねてＩ方を固定し他方を水平方向に押圧すれば高さの違う２重の孤状のタワミが生じ押圧を止めれば復元力により水平になる。この孤状と孤状の間隙を利用してなされたものでこの間隙で基板から露出している表示板を支障なくホルダーできる。
【０００９】反発片８は孤状のタワミが生じた時はタワミに反発して２枚の反発片は直線状になるので挿入孔に表示板を挿入すると基板の孤状と関係なく直線状の基板に挿入した状態となる。
即ちキーシリンダーの回転動作は水平、垂直に設計されているのでこれに合わせて表示板の動作も円滑にするためである。
【００１０】本発明は基台・ホルダー・基板・表示板の薄板の４点で構成している。
横孔式の反転表示板はで表裏を色分しほぼ釣鐘状にしている
縦孔式の上下・反転表示板は表裏を色分けし中央部の重心点を工字形にしている。
しかし表示板の機能を果たせばこの形状には拘らない。
【００１１】それぞれの基板に表示板の挿入は表示板用の挿入孔のスリットに表示板の端部を押し込めば容易に挿入孔に挿入できる。
【００１２】日常生活において鍵の開閉は殆ど毎日行われているが中には長期間未使用の場合があり気温の変動による湿気等により基板と表示板が付着して一連の動作は鈍ることも考えられるが基板の孤状のタワミで対処できる。
【００１３】鍵の把持部が小さくて本発明を接着すると支障がある場合本発明品付きの補助板を用いる。
また補助板にデザイン等を施せばアクセサリーにもなる。
【００１４】新しく鍵本体を製作する場合は予め把持部を少し肉厚にして本発明を嵌めこむコの字状の彫り込みを設けて置けば容易に取り付けが可能で特に予備キー製作業者では要望に応じて各種の施錠確認表示付き鍵の提供が図れる。
【００１５】長期にわたり使用し弾性体の疲労によりタワミの復元に支障が有る場合は基台に予備の基板とホルダー入れるだけで良く取り替えが容易にができる。
【００１６】鞄やポケット等に鍵を収納している間にスライダーが押圧されることも考えられるがスライダーが長短２枚であり万一２枚とも押圧されても押圧されたまま回転することは考えられないので表示は変わることは無い。
【発明の効果】
【００１７】本発明は薄い２枚のプラスチック板と薄い表示板と基台だけの簡単な構成で厚さ約３ｍｍの超薄型で従来どおりキーホルダーも使用できる。また鍵に接着するだけで良く、鍵掛け忘れの不安の解消と、防犯に寄与する手軽に安く提供できる施錠確認表示付き鍵付属品である。
【発明を実施するための形態】
【００１８】以下本発明の実施例について図面を参照しながら説明する。
端部にＶ字状のストッパー２と他端部にスライダー用の遊動孔３を設けた基台１に透明の弾性体で中央部に表示板用のスリット７つきの挿入孔６とその左右に反発片８用のコの字切り込みを設けて端部にスライダー５を付けた基板と同じく透明の弾性体で端部に基板のスライダーより長いスライダー１２を設けたホルダーを収納し回転動作により基板の挿入孔６に挿入した表裏色分けの反転表示板が自重により反転または上下・反転表示板により上下の重心移動と自重により反転するようにしている。
【００１９】これを使用するときはホルダー又は補助板の裏面に両面テープを施し、挿入完了位置から指定の距離をおいて鍵に直接接着する。
なお横孔式で９０度往復式タイプは挿入時の鍵の裏面に接着する。
【００２０】横孔式タイプは鍵を挿入した際、ホルダー１１と基板４が孤状にタワムがホルダーのスライダー１２の方が長いので基板の孤状より高くなる。中央部の挿入孔６に挿入した反転表示板９がタワミと同時に反発片８と共に跳ね上り遊動自在になるので回転作動時は自重により挿入孔を支点に反転表示板９が反転する。
鍵を抜いた際、ホルダー１１と基板４の孤状のタワミが復元し水平状態となり反転表示板９はホルダーと基台の間に固定するので表示板の表裏の色で施錠、解錠の色を決めておけば外出先でも直ぐに確認できる。
【００２１】縦穴式タイプは鍵孔に鍵を挿入すると基板４のタワミと同時に上下・表示板１０反発片８と共に横に出る。鍵の回転により孤状のタワミが鍵の上部になれば基板４の下方に重心が移るこれにより鍵を元の縦に戻して抜き基板が復元した時は縦方向に戻す方向とは逆方向に表示板は反転して固定することとなる。同じくタワミが裏側なれば上下・反転表示板１０の工字形は挿入孔を下方に遊動して弾性板の背部より長く出て重心が移るようにしている。
これにより鍵を縦方向に戻して抜き取れば表示板は逆転することとなる。
即ち横方向から縦に戻すとき右回しの時は左に、左回しの時は右に表示板が反転するので表裏の色分により判別する。
【００２２】第５図参照
縦穴式シリンダーの９０度往復回転タイプで上下・反転表示板１０の施錠から解錠の流れを図にて説明する。なお表示板の表裏の色分けを示すために特に白黒で強調している。
〈１〉施錠のためシリンダーに挿入（表示板は黒）〈２〉反時計回りに９０度回転〈３〉時計回りに９０度反転及び抜き取り（表示板は白）
〈４〉解錠のため挿入（表示板は白）〈５〉時計回りに９０度回転〈６〉反時計回りに９０度反転抜き取り（表示板は黒）
【図面の簡単な説明】
【００２３】
【図１】本発明の斜視図。
【図２】本発明の分解斜視図。
【図３】本発明の使用の状態を示す側面図。
【図４】補助板つき施錠確認表示付き鍵付属品の斜視図
【図５】本発明の縦穴式の上下・反転表示板の動作図解を示す。
【発明を実施するための形態】
【符号の説明】
【００２４】（１）    基台
（２）    ストッパー
（３）    スライダー用の遊動孔
（４）    基板
（５）    基板のスライダー
（６）    表示板の挿入孔
（７）    スリット
（８）    反発片
（９）    反転表示板
（１０）  上下・反転表示板
（１１）  ホルダー
（１２）  ホルダーのスライダー
（１３）  補助板つき施錠確認表示付き鍵付属品
Ａ        鍵の把持部
Ｂ        キーシリンダー
【図１】
2012219607.tif 000003
【図２】
2012219607.tif 000004
【図３】
2012219607.tif 000005
【図４】
2012219607.tif 000006
【図５】
2012219607.tif 000007
【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
端部にストッパーと他端部に遊動孔を設けた基台に、端部にスライダーつきの透明の弾性体に設けた表示板用の挿入孔に反転表示板を挿入した基板と、同じく透明の弾性体で端部に基板のスライダーより長いスライダーつきのホルダーを収納した施錠確認表示付き鍵付属品
【請求項２】
表示板用の挿入孔に上下・反転表示板を挿入した請求項１の施錠確認表示付き鍵付属品
【手続補正２】
【補正対象書類名】明細書
【補正対象項目名】００１８
【補正方法】変更
【補正の内容】
【００１８】以下本発明の実施例について図面を参照しながら説明する。
端部にＶ字状のストッパー２と他端部にスライダー用の遊動孔３を設けた基台１に透明の弾性体で中央部に表示板用のスリット７つきの挿入孔６とその左右に反発片８用のコの字状の切り込みを設けて端部にスライダー５を付けた基板と同じく透明の弾性体で端部に基板のスライダーより長いスライダー１２を設けたホルダーを収納し鍵孔に挿入した時はホルダー及び基板が弧状にタワミ基板の挿入孔６に挿入した表裏色分の反転表示板又は上下・反転表示板は回転動作により自重により反転または上下の重心移動と反転するようにしている。
【手続補正３】
【補正対象書類名】明細書
【補正対象項目名】００１９
【補正方法】変更
【補正の内容】
【００１９】これを使用するときは基台又は補助板の裏面に両面テープを施し、挿入完了位置から指定の距離をおいて鍵に直接接着する。
なお横孔式で９０度往復式タイプは挿入時の鍵の裏面に接着する。